【事件の表示】
　特願２０１１−１７０７９８「ラベルを容易に取り外すことのできるラベル・シート」拒絶査定不服審判事件〔平成２３年１０月２７日出願公開、特開２０１１−２１５６５２、請求項の数（１７）〕について、次のとおり審決する。
【結　論】
　原査定を取り消す。
　本願の発明は、特許すべきものとする。
【理　由】
第１．手続の経緯
　本件出願は、２００３年２月２８日に国際出願した特願２００４−５６９１５５号（以下「親出願」という。）の一部を平成１９年８月１６日に特願２００７−２１２０８９号（以下「子出願」という。）として新たに特許出願し、さらにこの子出願の一部を平成２３年８月４日に新たな特許出願としたものであって、平成２４年８月３日付けで手続補正書が提出され、同年１０月２２日付けで拒絶の査定がなされ、これに対し、平成２５年２月２８日に拒絶査定に対する審判請求がなされると同時に手続補正書が提出されて特許請求の範囲を補正する手続補正がなされ、これに対し、同年７月８日付けで審尋がなされ、平成２６年１月２１日付けで回答書が提出され、その後、当審において、同年４月１日付けで拒絶の理由を通知したところ、これに対し、同年４月９日付けで手続補正書が提出されたものである。
　
第２．本願発明
　本願の請求項１ないし１７に係る発明は、上記の平成２６年４月９日付けの手続補正によって補正された特許請求の範囲、明細書、及び図面の記載からみて、特許請求の範囲の請求項１ないし１７に記載された事項により特定される、次のとおりのものと認める（以下本願の請求項１に係る発明を「本願発明１」といい、同様に本願の請求項２〜１７に係る発明をそれぞれ「本願発明２」〜「本願発明１７」という。なお、請求項１の下記（お）の発明特定事項に記載の「（１）」〜「（９）」は、上記の平成２６年４月９日付けの手続補正書においては、ローマ数字で記載されているが、ローマ数字で記載することができないので、上記のとおりアラビア数字で記載することとした。請求項５、６、及び１４についても同様。）。 
「【請求項１】
　ラベル・シートであって、
　（あ）剥離ライナーを含み、前記剥離ライナーは、剥離材料の層を含んでいて、
　（い）さらに、前記剥離ライナーに剥離可能に結合され、接着剤が裏打ちされた第１のラベルと、
　（う）前記剥離ライナーに剥離可能に結合され、接着剤が裏打ちされた第２のラベルと、
　（え）前記剥離ライナーに結合された基地部とを含み、前記基地部は、前記接着剤が裏打ちされた第１のラベル、および、前記接着剤が裏打ちされた第２のラベルと並置されており、
　（お）（１）前記第１のラベルは、縁を含む部分を有し、
　　　　（２）前記剥離ライナーは、前記第１のラベルの下にあり、かつ、ラベル・シートの一つの縁からラベル・シートの反対側の縁まで延在している第１の弱化分離線を含み、
　　　　（３）前記基地部は、前記剥離ライナーの第１の弱化分離線に平行な第１の基地部弱化分離線を含み、前記第１の弱化分離線と前記第１の基地部弱化分離線は、平行に僅かに離れていて、
　　　　（４）前記剥離ライナーは、前記第１の弱化分離線にそって引き裂かれるように構成されていて、
　　　　（５）前記剥離ライナーは、前記第２のラベルの下にあり、かつ、ラベル・シートの一つの縁からラベル・シートの反対側の縁まで延在している第２の弱化分離線を含み、
　　　　（６）前記基地部は、前記剥離ライナーの第２の弱化分離線に平行な第２の基地部弱化分離線を含み、前記第２の弱化分離線と前記第２の基地部弱化分離線は、平行に僅かに離れていて、
　　　　（７）前記剥離ライナーは、前記第２の弱化分離線にそって引き裂かれるように構成されていて、
　　　　（８）前記基地部は、前記第１の基地部弱化分離線にそって引き裂かれ、前記基地部の部分を取り外して、前記第１のラベルの縁を露出させるように構成されていて、
　　　　（９）前記基地部は、前記第２の基地部弱化分離線にそって引き裂かれ、前記基地部の部分を取り外して、前記第２のラベルの縁を露出させるように構成されている、
ことを特徴とするラベル・シート。
　【請求項２】
　前記剥離ライナーに剥離可能に結合され、接着剤が裏打ちされた第３のラベルを更に含み、
　前記第１のラベルは、形状を有し、
　前記第３のラベルは、形状を有し、かつ、前記第１のラベルに隣接しており、
　第１の切込みが、前記第１のラベルを前記第３のラベルから分離しており、
　前記第１の切込みは、前記第１のラベルの形状の一部を構成し、かつ、前記第３のラベルの形状の一部を構成している、
ことを特徴とする、請求項１に記載されたラベル・シート。
　【請求項３】
　前記剥離ライナーに剥離可能に結合され、接着剤が裏打ちされた第４のラベルを更に含み、
　前記第２のラベルは、形状を有し、
　前記第４のラベルは、形状を有し、かつ、前記第２のラベルに隣接しており、
　第２の切込みが、前記第２のラベルを前記第４のラベルから分離しており、
　前記第２の切込みは、前記第２のラベルの形状の一部を構成し、かつ、前記第４のラベルの形状の一部を構成している、
ことを特徴とする、請求項２に記載されたラベル・シート。
　【請求項４】
　前記第１の弱化分離線は、さらに、前記第３のラベルの下にあり、
　前記ラベル・シートは、前記第１の弱化分離線にそって引き裂かれるように構成されていて、
　前記第３のラベルは、縁を含む一部を有しており、
　前記第１のラベルの縁および前記第３のラベルの縁は、前記剥離ライナーが前記第１のラベルの一部および前記第３のラベルの一部から切り離された後に、前記剥離ライナーを超えて延びるように構成される、
ことを特徴とする、請求項２に記載されたラベル・シート。
　【請求項５】
　ラベル・シートであって、
　（あ）剥離ライナーを含み、前記剥離ライナーは、剥離材料の層を含んでいて、
　（い）前記剥離ライナーに剥離可能に結合され、接着剤が裏打ちされた第１のラベルを含み、前記第１のラベルは、長方形の形状を有し、
　（う）さらに、前記剥離ライナーに剥離可能に結合され、接着剤が裏打ちされた第２のラベルを含み、前記第２のラベルは、長方形の形状を有し、
　（え）さらに、前記剥離ライナーに剥離可能に結合され、接着剤が裏打ちされた第３のラベルを含み、前記第３のラベルは、前記第１のラベルに隣接しており、前記第３のラベルは、長方形の形状を有し、
　（お）さらに、前記剥離ライナーに剥離可能に結合され、接着剤が裏打ちされた第４のラベルを含み、前記第４のラベルは、前記第２のラベルに隣接しており、前記第４のラベルは、長方形の形状を有し、
　（か）前記剥離ライナーに結合された基地部とを含み、前記基地部は、前記接着剤が裏打ちされた第１のラベル、前記接着剤が裏打ちされた第２のラベル、前記接着剤が裏打ちされた第３のラベル、および、前記接着剤が裏打ちされた第４のラベルと並置されており、
　（き）（１）第１の切込みが、前記第１のラベルを前記第３のラベルから分離しており、前記第１の切込みは、前記第１のラベルの形状の一部を構成し、かつ、前記第３のラベルの形状の一部を構成していて、
　　　　（２）第２の切込みが、前記第２のラベルを前記第４のラベルから分離しており、前記第２の切込みは、前記第２のラベルの形状の一部を構成し、かつ、前記第４のラベルの形状の一部を構成していて、
　　　　（３）前記剥離ライナーは、前記第１のラベルおよび前記第３のラベルの下にあり、かつ、ラベル・シートの一つの縁からラベル・シートの反対側の縁まで延在している第１の弱化分離線を含み、
　　　　（４）前記基地部は、前記剥離ライナーの第１の弱化分離線に平行な第１の基地部弱化分離線を含み、前記第１の弱化分離線と前記第１の基地部弱化分離線は、平行に僅かに離れていて、
　　　　（５）前記剥離ライナーは、前記第２のラベルおよび前記第４のラベルの下にあり、かつ、ラベル・シートの一つの縁からラベル・シートの反対側の縁まで延在している第２の弱化分離線を含み、
　　　　（６）前記基地部は、前記剥離ライナーの第２の弱化分離線に平行な第２の基地部弱化分離線を含み、前記第２の弱化分離線と前記第２の基地部弱化分離線は、平行に僅かに離れていて、
　　　　（７）前記第１の弱化分離線は、複数の結合部を含み、小さな結合部が前記各ラベルの下にあり、小さな結合部が前記基地部の下にあり、大きな結合部が前記剥離ライナーの縁付近にあり、
　　　　（８）前記剥離ライナーは、前記第１の弱化分離線および前記第２の弱化分離線のうちの少なくとも１つにそって引き裂かれるように構成されており、また、前記基地部は、前記第１の基地部弱化分離線及び第２の基地部弱化分離線のうちの少なくとも１つにそって切り裂かれるように構成されている、
ことを特徴とするラベル・シート。
　【請求項６】
　ラベル・シートであって、
　（あ）剥離ライナーを含み、前記剥離ライナーは、剥離材料の層を含み、
　（い）さらに、前記剥離ライナーに剥離可能に結合され、接着剤が裏打ちされた第１のラベルと、
　（う）前記剥離ライナーに剥離可能に結合され、接着剤が裏打ちされた第２のラベルと、
　（え）前記接着剤が裏打ちされた第１のラベルおよび前記接着剤が裏打ちされた第２のラベルと並置され、かつ、前記剥離ライナーに結合された基地部とを含み、
　（お）（１）前記剥離ライナーは、前記第１のラベルの下にあり、かつ、ラベル・シートの一つの縁からラベル・シートの反対側の縁まで延在している第１の弱化分離線を含み、
　　　　（２）前記基地部は、前記剥離ライナーの第１の弱化分離線に平行な第１の基地部弱化分離線を含み、前記第１の弱化分離線と前記第１の基地部弱化分離線は、平行に僅かに離れていて、
　　　　（３）前記第１の弱化分離線は、切込み、および、複数の切込みと複数の結合部の組み合わせからなる群から選択され、
　　　　（４）前記剥離ライナーは、前記第１のラベルの下にある第１の部分と、前記第２のラベルの下にある第２の部分と、前記基地部の下にある基地部の部分を有していて、
　　　　（５）前記基地部、前記剥離ライナーの第１の部分および前記基地部の部分は、前記第１の弱化分離線及び第１の基地部弱化分離線にそって、前記第１のラベルの一部から切り離されるように構成され、
　　　　（６）前記剥離ライナーは、前記第２のラベルの下にあり、かつ、ラベル・シートの一つの縁からラベル・シートの反対側の縁まで延在している第２の弱化分離線を含み、
　　　　（７）前記基地部は、前記剥離ライナーの第２の弱化分離線に平行な第２の基地部弱化分離線を含み、前記第２の弱化分離線と前記第２の基地部弱化分離線は、平行に僅かに離れていて、
　　　　（８）前記第２の弱化分離線は、切込み、および、複数の切込みと複数の結合部の組み合わせからなる群から選択され、
　　　　（９）前記基地部、前記剥離ライナーの第２の部分および前記基地部の部分は、前記第２の弱化分離線及び第２の基地部弱化分離線にそって、前記第２のラベルの一部から切り離されるように構成される、
ことを特徴とするラベル・シート。
　【請求項７】
　前記第１の弱化分離線は、少なくとも直線である部分を含むことを特徴とする、請求項６に記載されたラベル・シート。
　【請求項８】
　前記第２の弱化分離線は、少なくとも直線である部分を含むことを特徴とする、請求項６に記載されたラベル・シート。
　【請求項９】
　請求項６に記載されたラベル・シートにおいて、
　さらに、前記剥離ライナーに剥離可能に結合され、接着剤が裏打ちされた第３のラベルを含み、
　前記第１のラベルは、形状を有し、
　前記第３のラベルは、形状を有し、かつ、前記第１のラベルに隣接しており、
　第１の切込みが、前記第１のラベルを前記第３のラベルから分離しており、
　前記第１の切込みは、前記第１のラベルの形状の一部を構成し、かつ、前記第３のラベルの形状の一部を構成している、
ことを特徴とする、ラベル・シート。
　【請求項１０】
　前記第１のラベルの形状および前記第３のラベルの形状の各々は、長方形であることを特徴とする、請求項９に記載されたラベル・シート。
　【請求項１１】
　請求項９に記載されたラベル・シートにおいて、
　さらに、前記剥離ライナーに剥離可能に結合され、接着剤が裏打ちされた第４のラベルを含み、
　前記第２のラベルは、形状を有し、
　前記第４のラベルは、形状を有し、かつ、前記第２のラベルに隣接しており、
　第２の切込みが、前記第２のラベルを前記第４のラベルから分離しており、
　前記第２の切込みは、前記第２のラベルの形状の一部を構成し、前記第４のラベルの形状の一部を構成している、
ことを特徴とするラベル・シート。
　【請求項１２】
　前記第２のラベルの形状および前記第４のラベルの形状の各々は、長方形であることを特徴とする、請求項１１に記載されたラベル・シート。
　【請求項１３】
　請求項９に記載されたラベル・シートにおいて、
　前記第１の弱化分離線は、前記第３のラベルの下にあり、
　前記第１のラベルは、縁を含み、
　前記第３のラベルは、縁を含む部分を有しており、
　前記第１のラベルの縁および前記第３のラベルの縁は、前記剥離ライナーおよび前記基地部の部分が前記第１のラベルの一部および前記第３のラベルの一部から切り離された後に、前記剥離ライナーを超えて延びるように構成される、
ことを特徴とするラベル・シート。
　【請求項１４】
　ラベル・シートであって、
　（あ）剥離ライナーを含み、前記剥離ライナーは、剥離材料の層を含み、
　（い）さらに、前記剥離ライナーに剥離可能に結合され、接着剤が裏打ちされた第１のラベルを含み、前記第１のラベルは、形状を有し、かつ、縁を含む部分を有し、
　（う）さらに、前記剥離ライナーに剥離可能に結合され、接着剤が裏打ちされた第２のラベルを含み、前記第２のラベルは、形状を有し、
　（え）さらに、前記剥離ライナーに剥離可能に結合され、接着剤が裏打ちされた第３のラベルを含み、前記第３のラベルは、前記第１のラベルに隣接しており、前記第３のラベルは、形状を有し、かつ、縁を含む部分を有し、
　（お）さらに、前記剥離ライナーに剥離可能に結合され、接着剤が裏打ちされた第４のラベルを含み、前記第４のラベルは、前記第２のラベルに隣接しており、前記第４のラベルは、形状を有し、
　（か）前記剥離ライナーに結合された基地部を含み、前記基地部は、前記接着剤が裏打ちされた第１のラベル、前記接着剤が裏打ちされた第２のラベル、前記接着剤が裏打ちされた第３のラベル、および、前記接着剤が裏打ちされた第４のラベルと並置され、前記基地部は、第１の基地部弱化分離線と第２の基地部弱化分離線とを含み、
　（き）（１）第１の切込みが、前記第１のラベルを前記第３のラベルから分離しており、前記第１の切込みは、前記第１のラベルの形状の一部を構成し、かつ、前記第３のラベルの形状の一部を構成していて、
　　　　（２）第２の切込みが、前記第２のラベルを前記第４のラベルから分離しており、前記第２の切込みは、前記第２のラベルの形状の一部を構成し、かつ、前記第４のラベルの形状の一部を構成していて、
　　　　（３）前記剥離ライナーは、前記第１のラベルおよび前記第３のラベルの下にあり、かつ、ラベル・シートの一つの縁からラベル・シートの反対側の縁まで延在している第１の弱化分離線を含み、前記第１の弱化分離線と前記第１の基地部弱化分離線は、平行に僅かに離れていて、
　　　　（４）前記剥離ライナーは、前記第２のラベルおよび前記第４のラベルの下にあり、かつ、ラベル・シートの一つの縁からラベル・シートの反対側の縁まで延在している第２の弱化分離線を含み、前記第２の弱化分離線と前記第２の基地部弱化分離線は、平行に僅かに離れていて、
　　　　（５）前記剥離ライナーは、前記第１のラベルの下にある第１の部分と、前記第２のラベルの下にある第２の部分と、前記第３のラベルの下にある第３の部分と、前記第４のラベルの下にある第４の部分と、前記基地部の下にある基地部の部分を有していて、
　　　　（６）前記基地部、前記基地部の部分、前記剥離ライナーの第１の部分、前記剥離ライナーの第３の部分は、前記第１の基地部弱化分離線および前記第１の弱化分離線にそって、前記第１のラベルの一部および前記第３のラベルの一部から切り離されるように構成され、かつ、前記基地部、前記基地部の部分、前記剥離ライナーの第２の部分、前記剥離ライナーの第４の部分は、前記第２の基地部弱化分離線および前記第２の弱化分離線にそって、前記第２のラベルの一部および前記第４のラベルの一部から切り離されるように構成される、
ことを特徴とするラベル・シート。
　【請求項１５】
　前記剥離ライナーは、前記第１の弱化分離線および前記第２の弱化分離線にそって引き裂かれるように構成されることを特徴とする、請求項１４に記載されたラベル・シート。
　【請求項１６】
　前記弱化分離線は、少なくとも直線である部分を含むことを特徴とする、請求項１４に記載されたラベル・シート。
　【請求項１７】
　前記第１のラベルの縁および前記第３のラベルの縁は、前記剥離ライナーが前記第１のラベルの一部および前記第３のラベルの一部から切り離された後に、前記剥離ライナーを超えて延びるように構成される、
ことを特徴とする請求項１４に記載されたラベル・シート。」
　
第３．原査定の理由の概要
　本願の各請求項に係る発明は、その親出願の国際出願前に日本国内又は外国において、頒布された頒布された実公平２−１０５４６号公報（以下「引用例」という。）に記載された発明又は電気通信回線を通じて公衆に利用可能となった発明であるから、特許法第２９条第１項第３号に該当し、特許を受けることができない。
　
第４．当審の判断
１．引用例
　原査定の拒絶の理由に引用された、本願の親出願の国際出願前に頒布された引用例には、次の事項が記載されている。（下線は審決で付した。以下同じ。）
・「一側面に粘着剤を塗布した帯状のラベル原紙（幅ａ）に帯状のセパレート紙（幅ｂ）を貼着して帯状とし、所定の切込線（Ｘ，Ｙ，Ｚ）を施した後これを巻き取ったロールであって、帯状のラベル原紙とセパレート紙とはセパレート紙の方が若干幅が広く（ａ＜ｂ）、かつ、長さ方向の一側（基線）を揃えて貼着されており、前記切込線Ｘ，Ｙ，Ｚは、
・縦切込線Ｘ
　前記基線に平行で取付部の幅（Ｃ）だけ内側に位置し、セパレート紙のみを切断する、
・第１横切込線Ｙ
　封筒幅（Ｗ）毎に帯状を横断して位置し、（ａ−ｃ）より若干長く（ａ−ｃ＋２ｄ）、ラベル原紙の他側（基線と反対側）と前記の縦切込線Ｙ（審決注：「Ｘ」の誤記である。）の外側へｄずつ突出し、セパレート紙、ラベル原紙の双方を切断する、
・第２横切込線Ｚ
　長さｃで第１横切込線Ｙに連続して基線側へ延びラベル原紙のみを切断する、
であることを特徴とした封緘ラベル・ロール。」（１頁左欄２〜２２行）
・「使用に際しては封緘ラベル・ロール２から帯状体８を引出して基線と平行にこれからａより大きくａ＋ｄより小さい位置で新たに切込線Ｘ´を適当な切刃にて入れセパレート紙４を長さ方向に切断する。すると、この切込線Ｘ´は切込線Ｙと交叉するので個々の封緘ラベル３は、取付部５相当部分のセパレート紙（切込線Ｘによりヒレ状となっている）で連続しているにすぎなくなる。そこでこのヒレ部分を連続的に剥離すると取付部５に粘着剤７を露出させ、他にはセパレート紙４を貼着した目的の封緘ラベル３を個々に得られる。」（２頁右欄１４〜２４行）
　これらの記載事項を総合すると、引用例には、次の発明（以下「引用発明」という。）が記載されているものと認められる。
「一側面に粘着剤を塗布した帯状のラベル原紙（幅ａ）に帯状のセパレート紙（幅ｂ）を貼着して帯状とし、所定の切込線（Ｘ，Ｙ，Ｚ）を施した後これを巻き取ったロールであって、帯状のラベル原紙とセパレート紙とはセパレート紙の方が若干幅が広く（ａ＜ｂ）、かつ、長さ方向の一側（基線）を揃えて貼着されており、前記切込線Ｘ，Ｙ，Ｚは、
・縦切込線Ｘ
　前記基線に平行で取付部の幅（Ｃ）だけ内側に位置し、セパレート紙のみを切断する、
・第１横切込線Ｙ
　封筒幅（Ｗ）毎に帯状を横断して位置し、（ａ−ｃ）より若干長く（ａ−ｃ＋２ｄ）、ラベル原紙の他側（基線と反対側）と前記の縦切込線Ｘの外側へｄずつ突出し、セパレート紙、ラベル原紙の双方を切断する、
・第２横切込線Ｚ
　長さｃで第１横切込線Ｙに連続して基線側へ延びラベル原紙のみを切断する、
　使用に際しては封緘ラベル・ロールから帯状体を引出して基線と平行にこれからａより大きくａ＋ｄより小さい位置で新たに切込線Ｘ´を適当な切刃にて入れセパレート紙を長さ方向に切断し、すると、この切込線Ｘ´は切込線Ｙと交叉するので個々の封緘ラベルは、取付部相当部分のセパレート紙（切込線Ｘによりヒレ状となっている）で連続しているにすぎなくなり、そこでこのヒレ部分を連続的に剥離すると取付部に粘着剤を露出させ、他にはセパレート紙を貼着した目的の封緘ラベルを個々に得られる
　封緘ラベル・ロール。」
　
２．本願発明１について
（１）対比
　本願発明１と引用発明とを対比すると、
　後者における「封緘ラベル・ロール」は、その構造、機能、作用等からみて、前者における「ラベル・シート」に相当し、以下同様に、「セパレート紙」は「剥離ライナー」に、「粘着剤」は「接着剤」に、「縦切込線Ｘ」は「第１の弱化分離線」に、それぞれ相当する。
　また、後者における「セパレート紙」は、剥離材料の層を含んでいることは明らかである。
　また、後者は、封緘ラベル・ロールに個々の封緘ラベルが連続されて形成されているから、複数の封緘ラベル、すなわち第１の封緘ラベル、第２の封緘ラベルが形成されているといえる。
　また、後者における「封緘ラベル」は、縁を含む部分を有しているのは明らかである。
　また、後者は、セパレート紙の取付部相当部分（切込線Ｘによりヒレ状となっている）であるヒレ部分を連続的に剥離するから、セパレート紙は、縦切込線Ｘにそって引き裂かれるように構成されているといえる。
　したがって、両者は、
「ラベル・シートであって、
　（あ）剥離ライナーを含み、前記剥離ライナーは、剥離材料の層を含んでいて、
　（い）さらに、前記剥離ライナーに剥離可能に結合され、接着剤が裏打ちされた第１のラベルと、
　（う）前記剥離ライナーに剥離可能に結合され、接着剤が裏打ちされた第２のラベルと、
　（お）（１）前記第１のラベルは、縁を含む部分を有し、
　　　　（２）前記剥離ライナーは、前記第１のラベルの下にあり、
　　　　（４）前記剥離ライナーは、前記第１の弱化分離線にそって引き裂かれるように構成されている、
ラベル・シート。」
　の点で一致し、以下の点で相違している。
［相違点１］
　本願発明１は、「（え）剥離ライナーに結合された基地部とを含み、前記基地部は、接着剤が裏打ちされた第１のラベル、および、前記接着剤が裏打ちされた第２のラベルと並置されて」いるのに対し、引用発明は、「基地部」を備えていない点。
［相違点２］
　本願発明１は、（お）「（２）剥離ライナー」が、「ラベル・シートの一つの縁からラベル・シートの反対側の縁まで延在している第１の弱化分離線を含」んでいるのに対し、引用発明は、「セパレート紙」が、縦切込線Ｘを含んでいるものの封緘ラベル・ロールの一つの縁から封緘ラベル・シートの反対側の縁まで延在しているか否か明らかでない点。
［相違点３］
　本願発明１は、（お）「（３）基地部」が、「剥離ライナーの第１の弱化分離線に平行な第１の基地部弱化分離線を含み、前記第１の弱化分離線と前記第１の基地部弱化分離線は、平行に僅かに離れてい」るのに対し、引用発明は、「基地部」、及び「第１の基地部弱化分離線」を備えていない点。
［相違点４］
　本願発明１は、（お）「（５）剥離ライナー」が、「第２のラベルの下にあり、かつ、ラベル・シートの一つの縁からラベル・シートの反対側の縁まで延在している第２の弱化分離線を含」んでいるのに対し、引用発明は、「セパレート紙」が、そのようなものではない点。
［相違点５］
　本願発明１は、（お）「（６）基地部」が、「剥離ライナーの第２の弱化分離線に平行な第２の基地部弱化分離線を含み、前記第２の弱化分離線と前記第２の基地部弱化分離線は、平行に僅かに離れてい」るのに対し、引用発明は、「基地部」、及び「第２の基地部弱化分離線」を備えていない点。
［相違点６］
　本願発明１は、（お）「（７）剥離ライナー」が、「第２の弱化分離線にそって引き裂かれるように構成されてい」るのに対し、引用発明は、「セパレート紙」が、そのようなものではない点。
［相違点７］
　本願発明１は、（お）「（８）基地部」が、「第１の基地部弱化分離線にそって引き裂かれ、前記基地部の部分を取り外して、第１のラベルの縁を露出させるように構成されてい」るのに対し、引用発明は、「基地部」、及び「第１の基地部弱化分離線」を備えていない点。
［相違点８］
 　本願発明１は、（お）「（９）基地部」が、「第２の基地部弱化分離線にそって引き裂かれ、前記基地部の部分を取り外して、第２のラベルの縁を露出させるように構成されている」のに対し、引用発明は、「基地部」、及び「第２の基地部弱化分離線」を備えていない点。
　
（２）判断
　そうすると、引用発明１は、上記相違点１〜８に係る本願発明の発明特定事項を具備していない。
　したがって、本願発明１が、引用発明であるとすることはできない。
　
　なお、本願発明１の進歩性を検討しても、引用発明において、上記相違点１〜８に係る本願発明の発明特定事項を備えるものとなすことを、当業者が容易に想到し得たといえる根拠は見当たらない。そして、本願発明は、特に上記相違点３、５に係る本願発明の発明特定事項を具備することにより、本願明細書に記載の「ライナーおよび基地部のストリップ２６を円滑な単一動作で引き裂くことができる」、「それと同時に、ライナー分離線３０の上にある基地部部分が、ライナー１６の早期引き裂きを防ぎ」、「表面素材の弱化分離線がライナーの弱化分離線の真上でダイ切断される場合、ライナーの強度が表面素材に切り込むダイを十分支持できないので、表面素材に圧入するダイが、きれいに表面素材に切り込まずに、表面素材が変形する傾向にある。」（つまり、ダイが、きれいに表面素材に切り込むことができる。）（段落【００１０】）という作用効果を奏するものである。
　したがって、本願発明１は、引用発明に基づいて、当業者が容易に発明をすることができたものとすることはできない。
　
３．本願発明２〜１７について
　本願発明２〜１７は、上記２．（２）と同様の理由により、引用発明であるとすることはできない。
　なお、進歩性を検討しても、上記２．（２）と同様の理由により、本願発明２〜１７は、引用発明に基づいて、当業者が容易に発明をすることができたものとすることはできない。
　
第５．当審拒絶理由について
１．当審拒絶理由の概要
　本件出願は、請求項１〜２２の記載において、特に、第１及び第２の弱化分離線と第１及び第２の基地部弱化分離線との配置関係が不明瞭であるから、特許法第３６条第６項第２号に規定する要件を満たしていない。 
　
２．当審拒絶理由の判断
　平成２６年４月９日付けの手続補正書において、上記第２のとおり、請求項１〜１７の記載は補正されたことにより、請求項１〜１７に係る発明は明確となった。
　したがって、当審拒絶理由は解消した。
　
第６．むすび
　以上のとおりであるから、原査定の理由によっては、本願を拒絶することはできない。
　また、他に本願を拒絶すべき理由を発見しない。
　
　よって、結論のとおり審決する。